(57)【要約】【課題】着脱が容易であって、汎用性に優れたアンダーシャツを提供する。【解決手段】アンダーシャツ１０は、人間の身体の上半身に装着するものであり、前身頃１１が、右前身頃１１ａと左前身頃１１ｂとに分かれ、右前身頃１１ａと左前身頃１１ｂとを開閉可能に係止するファスナ１２，１２を備えている。閉止したときのファスナ１２，１２は前身頃１１の左右対称軸１１ｃの位置に存在する。アンダーシャツ１０において、その襟口１３の形状はＣｒｅｗ−ｎｅｃｋであり、左右の袖１４，１４は半袖である。アンダーシャツ１０は、ポリエステル繊維を含む素材で形成されている【選択図】図１
0003212910.tif 000002
【実用新案登録請求の範囲】
【請求項１】
人間の身体の上半身に装着するアンダーシャツであって、
前身頃が、右前身頃と左前身頃とに分かれ、
前記右前身頃と前記左前身頃とを開閉可能に係止するファスナ若しくは面ファスナを備えたアンダーシャツ。
【請求項２】
前記ファスナ若しくは前記面ファスナが、前記前身頃の左右対称軸の位置に存在する請求項１記載のアンダーシャツ。
【請求項３】
襟口の形状が、Ｃｒｅｗ−ｎｅｃｋ若しくはＶ−ｎｅｃｋである請求項１または２記載のアンダーシャツ。
【請求項４】
ポリエステル繊維、ポリエステル繊維とポリウレタン繊維との混合繊維若しくは綿のうちの１以上を含む素材で形成された請求項１〜３の何れかに記載のアンダーシャツ。
【考案の詳細な説明】
【技術分野】
【０００１】
本考案は、人間の上半身に装着するアンダーシャツに関する。
【背景技術】
【０００２】
人間の上半身に装着するアンダーシャツについては、従来、様々な形状、デザインを有するものが製造、販売されているが、装着したとき、身体の胴体部分を包み込む前身頃及び後身頃が筒状に連続した形状のものが一般的である。
【０００３】
一方、本考案に関連する従来のアンダーシャツとして、例えば、特許文献１に記載された「着脱が容易な衣類」などがある。この「着脱が容易な衣類」は、下着、中着または上着なる衣類において、前半分衣類及び後半分衣類の部分衣類を作り、前半分衣類と後半分衣類に取り付けられたそれぞれ対応する複数個のファスナによって前半分衣類と後半分衣類とを結び合わせることを特徴としている。
【先行技術文献】
【特許文献】
【０００４】
【特許文献１】特開２０１３−２３７９４６号公報
【考案の概要】
【考案が解決しようとする課題】
【０００５】
従来のアンダーシャツは、装着したときに身体の胴体部分を包み込む前身頃及び後身頃が筒状に連続した形状であるため、着たり脱いだりするときに、頭を必ず襟口に通さなければならない。このため、アンダーシャツを着脱するときに、頭髪のセットが乱れたり、眼鏡が外れたり、装着しているカツラが外れたりすることがある。
【０００６】
また、化粧をしている人の場合、アンダーシャツ着脱の際に化粧が乱れたり、襟口やその他の部分に化粧が付着したりすることがある。
【０００７】
さらに、身体の老化や病気などにより、腕が上がり難くなった人や手の動きが不自由な人あるいは寝たきりの人などは、アンダーシャツの着脱そのものが困難である。
【０００８】
一方、特許文献１に記載された「着脱が容易な衣類」は、着たり脱いだりする際に襟口に頭を通す必要がないので、肢体が不自由な人には好適であるが、複数の部分衣類及び複数のファスナからなる複雑な構造であるため、着脱に手間を要し、汎用性に欠ける。
【０００９】
そこで、本考案が解決しようとする課題は、着脱が容易であって、汎用性に優れたアンダーシャツを提供することにある。
【課題を解決するための手段】
【００１０】
本考案に係るアンダーシャツは、
人間の身体の上半身に装着するアンダーシャツであって、
前身頃が、右前身頃と左前身頃とに分かれ、
前記右前身頃と前記左前身頃とを開閉可能に係止するファスナ若しくは面ファスナを備えたことを特徴とする。
【００１１】
前記アンダーシャツにおいては、前記ファスナ若しくは前記面ファスナが、前記前身頃の左右対称軸の位置に存在することが望ましい。
【００１２】
前記アンダーシャツにおいては、襟口の形状を、Ｃｒｅｗ−ｎｅｃｋ若しくはＶ−ｎｅｃｋとすることができる。
【００１３】
前記アンダーシャツは、ポリエステル繊維、ポリエステル繊維とポリウレタン繊維との混合繊維若しくは綿のうちの１以上を含む素材で形成することができる。
【考案の効果】
【００１４】
本考案により、着脱が容易であって、汎用性に優れたアンダーシャツを提供することができる。
【図面の簡単な説明】
【００１５】
【図１】本考案の実施形態であるアンダーシャツがファスナ閉止状態にあるときの正面図である。
【図２】図１に示すアンダーシャツがファスナ開放状態にあるときの正面図である。
【図３】本考案のその他の実施形態であるアンダーシャツがファスナ閉止状態にあるときの正面図である。
【図４】図３に示すアンダーシャツがファスナ開放状態にあるときの正面図である。
【図５】本考案のその他の実施形態であるアンダーシャツがファスナ閉止状態にあるときの正面図である。
【図６】図５に示すアンダーシャツがファスナ開放状態にあるときの正面図である。
【考案を実施するための形態】
【００１６】
以下、図１〜図６に基づいて、本考案の実施形態であるアンダーシャツ１０，２０，３０について説明する。
【００１７】
図１，図２に基づいてアンダーシャツ１０について説明する。図１，図２に示すように、アンダーシャツ１０は、人間の身体の上半身に装着するものであって、前身頃１１が、右前身頃１１ａと左前身頃１１ｂとに分かれ、右前身頃１１ａと左前身頃１１ｂとを開閉可能に係止するファスナ１２，１２を備えている。閉止したときのファスナ１２，１２は前身頃１１の左右対称軸１１ｃの位置に存在する。後身頃１５は上下左右に連続した形状である。
【００１８】
アンダーシャツ１０において、その襟口１３の形状はＣｒｅｗ−ｎｅｃｋであり、左右の袖１４，１４は半袖である。アンダーシャツ１０は、ポリエステル繊維を含む素材で形成されているが、これに限定しないので、ポリエステル繊維とポリウレタン繊維との混合繊維若しくは綿を含む素材で形成することもできる。
【００１９】
図１に示すアンダーシャツ１０を着たり脱いだりするときは、図２に示すように、ファスナ１２，１２を開放状態にして行うことができるので、着脱の際に頭を襟口１３に通す動作が不要であり、着脱が容易である。
【００２０】
また、着脱の際に襟口１３に頭を通す必要がないので、アンダーシャツ１０を着脱するときに、頭髪のセットが乱れたり、眼鏡が外れたり、装着しているカツラが外れたりすることがない。
【００２１】
また、化粧をしている人がアンダーシャツ１０を着脱する際に、化粧が乱れたり、襟口１３やその他の部分に化粧が付着したりすることがない。
【００２２】
さらに、アンダーシャツ１０は、身体の老化や病気などにより腕が上がり難くなった人や手の動きが不自由な人あるいは寝たきりの人なども容易に着脱することができる。
【００２３】
また、前身頃１１の左右対称軸１１ｃの位置にファスナ１２，１２が存在するだけのシンプルな構造であるため、右利き・左利きを問わず着脱が容易であり、汎用性にも優れている。なお、ファスナ１２，１２の代わりに面ファスナを採用することもできる。
【００２４】
次に、図３，図４に基づいてアンダーシャツ２０について説明する。図３，図４に示すように、アンダーシャツ２０は、前身頃２１が、右前身頃２１ａと左前身頃２１ｂとに分かれ、右前身頃２１ａと左前身頃２１ｂとを開閉可能に係止するファスナ２２，２２を備えている。
【００２５】
閉止状態にあるときのファスナ２２，２２は前身頃２１の左右対称軸２１ｃの位置に存在する。後身頃２５は上下左右に連続した形状である。アンダーシャツ２０において、その襟口２３の形状はＶ−ｎｅｃｋであり、左右の袖２４，２４は半袖である。
【００２６】
図１に示すアンダーシャツ１０と同様、図３に示すアンダーシャツ２０を着たり脱いだりするときは、図４に示すように、ファスナ２２，２２を開放状態にして行うことができるので、着脱の際に頭を襟口２３に通す動作が不要であり、着脱が容易である。また、前身頃２１の左右対称軸２１ｃの位置にファスナ２２，２２が存在するだけのシンプルな構造であるため、汎用性にも優れている。
【００２７】
次に、図５，図６に基づいてアンダーシャツ３０について説明する。図５，図６に示すように、アンダーシャツ３０は、前身頃３１が、右前身頃３１ａと左前身頃３１ｂとに分かれ、右前身頃３１ａと左前身頃３１ｂとを開閉可能に係止するファスナ３２，３２を備えている。
【００２８】
閉止状態にあるときのファスナ３２，３２は前身頃３１の左右対称軸３１ｃの位置に存在する。後身頃３５は上下左右に連続した形状である。アンダーシャツ３０において、その襟口３３の形状はＣｒｅｗ−ｎｅｃｋであり、袖はなく、左右の腕を通すアームホール３４，３４が設けられている。
【００２９】
図５に示すアンダーシャツ３０を着たり脱いだりするときは、図５に示すように、ファスナ３２，３２を開放状態にして行うことができるので、着脱の際に頭を襟口３３に通す動作が不要であり、着脱が容易である。また、アンダーシャツ３０は袖がないので、左右の腕を袖に通す動作も不要であり、特に着脱が容易である。アンダーシャツ３０は、前身頃３１の左右対称軸３１ｃの位置にファスナ３２，３２が存在するだけのシンプルな構造であるため、汎用性にも優れている。
【００３０】
なお、図１〜図６に基づいて説明したアンダーシャツ１０，２０，３０は、本考案に係るアンダーシャツを例示するものであり、本考案に係るアンダーシャツは前述したアンダーシャツ１０，２０，３０に限定されない。
【産業上の利用可能性】
【００３１】
本考案に係るアンダーシャツは、衣類製造業などの産業分野において広く利用することができる。
【符号の説明】
【００３２】
１０，２０，３０  アンダーシャツ
１１，２１，３１  前身頃
１１ａ，２１ａ，３１ａ  右前身頃
１１ｂ，２１ｂ，３１ｂ  左前身頃
１１ｃ，２１ｃ，３１ｃ  左右対称軸
１２，２２，３２  ファスナ
１３，２３，３３  襟口
１４，２４  袖
１５，２５，３５  後身頃
３４  アームホール
【図１】
0003212910.tif 000003
【図２】
0003212910.tif 000004
【図３】
0003212910.tif 000005
【図４】
0003212910.tif 000006
【図５】
0003212910.tif 000007
【図６】
0003212910.tif 000008